(57)【要約】【課題】全高を小さくでき、配線ダクトから取り外す作業が容易なダクト用プラグおよびスポットライトを提供する。【解決手段】ダクト用プラグ３０は、プラグ本体３１と、プラグ本体３１の端部に形成された切欠溝６０に配設された回転止部材５０と、回転止部材５０とプラグ本体３１との間に配設された弾性部材３７とを備える。回転止部材５０は、プラグ本体３１の上面から一部が突出して配線ダクトのレール孔に嵌まることができるロック位置に配置され、プラグ本体３１の上面に交差する壁面が操作面となって押操作がされる。切欠溝６０の周壁には、プラグ本体３１の上面から離れるに従って操作面から離れるように傾斜したロック解除側スライド面６３が形成される。押操作がされると、回転止部材５０はロック解除側スライド面６３上を摺動してレール孔から外れる。【選択図】図１
2010176916.tif 000002
【特許請求の範囲】
【請求項１】
角筒状に形成され１つの壁面にレール孔が貫設され内部に給電線が配設された配線ダクトに取り付けられるダクト用プラグであって、一表面であるダクト側面にレール孔から配線ダクト内に挿入される取付板と給電線に接触する給電子とが配設されダクト側面と取付体とで配線ダクトの壁を挟み込むことで配線ダクトに支持された状態となるプラグ本体と、プラグ本体の端部に形成された切欠溝に配設されダクト側面に交差する一面が操作面となって押操作がされる回転止部材と、プラグ本体と回転止部材とに挟持されることで操作面が押操作される向きとは反対向きに回転止部材を付勢して回転止部材の一部がダクト面から突出してレール孔に嵌まるロック位置に回転止部材を保持する弾性部材とを備え、切欠溝は、ダクト側面に沿う幅方向において回転止部材と重なる一対の切欠壁と、切欠壁に交差し回転止部材における操作面の反対側の面において回転止部材が摺接する奥壁とを備え、回転止部材における操作面の反対側の面と切欠溝の奥壁との少なくとも一方には、回転止部材がロック位置にある状態においてダクト側面から離れるに従って操作面から離れるように傾斜し操作面が押操作されるとロック位置にあった回転止部材をレール孔から外れたロック解除位置に移動させるロック解除用スライド面が形成されることを特徴とするダクト用プラグ。
【請求項２】
前記回転止部材の幅方向の側面と前記切欠溝の前記切欠壁との少なくとも一方には、回転止部材が前記ロック位置にある状態において前記ダクト側面から離れるに従って前記操作面から離れるように傾斜し前記弾性部材の付勢力により回転止部材を前記ロック位置側に付勢するロック用スライド面が形成され、回転止部材の幅方向の側面と切欠溝の切欠壁との一方には、ロック側制限突起が突設され、他方には、回転止部材が前記ロック解除位置側からロック位置側に移動してロック位置に到達したときにロック側制限突起と当接するロック側ストップ面が段差面として形成されていることを特徴とする請求項１に記載のダクト用プラグ。
【請求項３】
前記弾性部材には、前記操作面が押操作される方向において両端が近づくように曲げられて前記回転止部材と前記プラグ本体との間に配設された板ばねと線ばねとの一方が用いられることを特徴とする請求項１に記載のダクト用プラグ。
【請求項４】
前記回転止部材における前記操作面の反対側の面と、前記切欠溝の前記奥壁との一方には、操作面が押操作される方向に突設されたロック解除側制限突起が形成され、他方には、回転止部材が前記ロック位置側から前記ロック解除位置側に移動してロック解除位置に到達したときにロック解除側制限突起の先端が当接するロック解除側ストップ面が形成されていることを特徴とする請求項１に記載のダクト用プラグ。
【請求項５】
前記プラグ本体は弾性を有する材料で形成され、前記回転止部材は、弾性を有する材料で形成されるとともに、幅方向に沿う面の少なくとも一面が開口されていることを特徴とする請求項１に記載のダクト用プラグ。
【請求項６】
前記プラグ本体における前記ダクト側面の反対側の面と前記回転止部材の一面とは、回転止部材が前記ロック位置にあるときに面一になることを特徴とする請求項１乃至請求項５の何れか１項に記載のダクト用プラグ。
【請求項７】
前記ロック解除側制限突起は、前記回転止部材が前記プラグ本体の前記ダクト側面から突出しない位置において前記ロック解除側ストップ面に当接することを特徴とする請求項４乃至請求項６の何れか１項に記載のダクト用プラグ。
【請求項８】
前記弾性部材を挟持する前記回転止部材と前記プラグ本体とには、回転止部材の幅方向において弾性部材と当接する位置決部が形成されていることを特徴とする請求項３に記載のダクト用プラグ。
【請求項９】
請求項１乃至請求項８の何れか１項に記載されたダクト用プラグと、ダクト用プラグに取り付けられる灯具とを備えるスポットライト。
【発明の詳細な説明】
【技術分野】
【０００１】
本発明は、配線ダクトに着脱自在に取り付けられるダクト用プラグおよびスポットライトに関するものである。
【背景技術】
【０００２】
従来から、天井や壁などに設置された配線ダクトに着脱自在に取り付けられるダクト用プラグが提供されている（例えば、特許文献１参照）。特許文献１に記載されたダクト用プラグ（給電レール用プラグ）３０が取り付けられる配線ダクト（給電用レール）４０は、図９に示すように、角筒状に形成され、天井に配設されている。配線ダクト４０の下壁には、長さ方向に沿ってレール孔（下向き開口部）４１が貫設されている。レール孔４１は、幅方向の中央部に形成されている。また、配線ダクト４０内には、給電線４２が配設されている。
【０００３】
ダクト用プラグ３０は、図１０に示すように、互いに平行な上下両面と上下両面に交差する周面とを有するプラグ本体３１と、レール孔４１から配線ダクト４０内に挿入される取付板３２および給電子３７を備えている。取付板３２は、プラグ本体３１の上面に沿う形でプラグ本体３１から離間して配設される。取付板３２の下面とプラグ本体３１の上面との離間寸法は、配線ダクト４０の下壁の厚み寸法と略同一寸法に設定されている。
【０００４】
取付板３２は、一方向の長さ寸法がレール孔４１の幅寸法以下で形成され、他の方向の長さ寸法がレール孔４１の幅寸法よりも大きく形成され、短手方向と長手方向とを有する。取付板３２は、レール孔４１から配線ダクト４０内に挿入された後、長手方向が配線ダクト４０の幅方向に一致するように回転され、取付板３２の下面とプラグ本体３１の上面とで配線ダクト４０の下壁が挟まれ、ダクト用プラグ３０は、配線ダクト４０の下壁に支持される。
【０００５】
プラグ本体３１の下面側には、スポットライトなどの機器が取り付けられる。すなわち、プラグ本体３１の上面はダクト側面となり、下面は、機器側面となる。また、給電子３３は給電線４２に接触し、ダクト用プラグ３０を介して機器に給電が行われる。
【０００６】
ところで、特許文献１に記載されたダクト用プラグ３０においては、ダクト用プラグ３０が配線ダクト４０から脱落しないように、回転止部材（取り外し操作部材）５０’によりダクト用プラグ３０の回転を禁止している。
【０００７】
回転止部材５０’は、取付板３２の厚み方向と短手方向とに沿う断面が略正方形となるように形成され、一壁面がプラグ本体３１の周面に平行になるように配設されている。回転止部材５０’の上端には、レール孔４１の幅寸法以下の幅寸法で形成された上端ロック部５９が突設され、プラグ本体３１の周面に平行になる壁面には、曲面である操作面５３ａが形成されている。
【０００８】
回転止部材５０は、前記断面において回転止部材５０の上端部における操作面５３ａから遠い側の角が回転軸３９となるようにプラグ本体３１に軸支されるとともに、操作面５３ａが形成された壁面の反対側の壁面の下端部に当接する弾性部材３７により付勢され、上端ロック部５９がプラグ本体３１の上面から突出して配線ダクト４０のレール孔４１に嵌まることができる状態になっている。上端ロック部５９がレール孔４１に嵌まることによりダクト用プラグ３０の回転が禁止される。
【０００９】
操作面５３ａに指を当てて回転止部材５０’を下向きに回転させて上端ロック部５９におけるプラグ本体３１からの突出寸法を減少させてレール孔４１に嵌まることができない状態にすることにより、ダクト用プラグ３０の回転を許可した状態にする。
【先行技術文献】
【特許文献】
【００１０】
【特許文献１】実開平６−２１１８８号公報
【発明の概要】
【発明が解決しようとする課題】
【００１１】
特許文献１に記載されたダクト用プラグ３０においては、回転止部材５０’を下向きに回転させるためには、操作面５３ａを押操作する際に操作面５３ａに下向きとなる力を加えなければならず、指が滑らないだけの高さ寸法が操作面５３ａに必要になる。また、上下方向における操作面５３ａと回転軸３９との距離が短いと、操作面５３ａには、より大きな下向きの力を加えなければならず、操作面５２ａの押操作がし難くなる。
【００１２】
したがって、特許文献１に記載されたダクト用プラグ３０においては、操作面５３ａは、上下方向において回転軸３９から離す必要があるとともに、指が滑らないだけの高さ寸法が必要であり、回転止部材５０’の高さ寸法が大きくなって、プラグ本体３１の全高が大きくなるという問題がある。プラグ本体３１の全高が大きいと、スポットライトなどに用いた場合において、ダクト用プラグ３０が目立ってデザイン性が損なわれるとともに、スポットライトの全高が大きくなってしまう。
【００１３】
また、回転止部材５０’を下向きに回転させるから、操作面５３ａ’とプラグ本体３１の壁面とに指を当て、ダクト用プラグ３０を掴むとともに回転止部材５０’を回転させることは困難である。そのため、回転止部材５０’を下向きに回転させる動作と、ダクト用プラグ３０を回転させるためにダクト用プラグ３０を掴む動作とを別個に行う必要があり、ダクト用プラグ３０を配線ダクト４０から取り外す作業がし難いという問題がある。
【００１４】
本発明は上記事由に鑑みて為されたものであり、その目的は、プラグ本体の全高を小さくでき、配線ダクトから取り外す作業が容易なダクト用プラグおよびスポットライトを提供することにある。
【課題を解決するための手段】
【００１５】
請求項１の発明は、角筒状に形成され１つの壁面にレール孔が貫設され内部に給電線が配設された配線ダクトに取り付けられるダクト用プラグであって、一表面であるダクト側面にレール孔から配線ダクト内に挿入される取付板と給電線に接触する給電子とが配設されダクト側面と取付体とで配線ダクトの壁を挟み込むことで配線ダクトに支持された状態となるプラグ本体と、プラグ本体の端部に形成された切欠溝に配設されダクト側面に交差する一面が操作面となって押操作がされる回転止部材と、プラグ本体と回転止部材とに挟持されることで操作面が押操作される向きとは反対向きに回転止部材を付勢して回転止部材の一部がダクト面から突出してレール孔に嵌まるロック位置に回転止部材を保持する弾性部材とを備え、切欠溝は、ダクト側面に沿う幅方向において回転止部材と重なる一対の切欠壁と、切欠壁に交差し回転止部材における操作面の反対側の面において回転止部材が摺接する奥壁とを備え、回転止部材における操作面の反対側の面と切欠溝の奥壁との少なくとも一方には、回転止部材がロック位置にある状態において、ダクト側面から離れるに従って操作面から離れるように傾斜し操作面が押操作されるとロック位置にあった回転止部材をレール孔から外れたロック解除位置に移動させるロック解除用スライド面が形成されることを特徴とする。
【００１６】
請求項２の発明は、請求項１の発明において、前記回転止部材の幅方向の側面と前記切欠溝の前記切欠壁との少なくとも一方には、回転止部材が前記ロック位置にある状態において前記ダクト側面から離れるに従って前記操作面から離れるように傾斜し前記弾性部材の付勢力により回転止部材を前記ロック位置側に付勢するロック用スライド面が形成され、回転止部材の幅方向の側面と切欠溝の切欠壁との一方には、ロック側制限突起が突設され、他方には、回転止部材が前記ロック解除位置側からロック位置側に移動してロック位置に到達したときにロック側制限突起と当接するロック側ストップ面が段差面として形成されていることを特徴とする。
【００１７】
請求項３の発明は、請求項１の発明において、前記弾性部材には、前記操作面が押操作される方向において両端が近づくように曲げられて前記回転止部材と前記プラグ本体との間に配設された板ばねと線ばねとの一方が用いられることを特徴とする。
【００１８】
請求項４の発明は、請求項１の発明において、前記回転止部材における前記操作面の反対側の面と、前記切欠溝の前記奥壁との一方には、操作面が押操作される方向に突設されたロック解除側制限突起が形成され、他方には、回転止部材が前記ロック位置側から前記ロック解除位置側に移動してロック解除位置に到達したときにロック解除側制限突起の先端が当接するロック解除側ストップ面が形成されていることを特徴とする。
【００１９】
請求項５の発明は、請求項１の発明において、前記プラグ本体は弾性を有する材料で形成され、前記回転止部材は、弾性を有する材料で形成されるとともに、幅方向に沿う面の少なくとも一面が開口されていることを特徴とする。
【００２０】
請求項６の発明は、請求項１乃至請求項５の何れか１項に記載の発明において、  前記プラグ本体における前記ダクト側面の反対側の面と前記回転止部材の一面とは、回転止部材が前記ロック位置にあるときに面一になることを特徴とする。
【００２１】
請求項７の発明は、請求項４乃至請求項６の何れか１項に記載の発明において、前記ロック解除側制限突起は、前記回転止部材が前記プラグ本体の前記ダクト側面から突出しない位置において前記ロック解除側ストップ面に当接することを特徴とする。
【００２２】
請求項８の発明は、請求項３に記載の発明において、前記弾性部材を挟持する前記回転止部材と前記プラグ本体とには、回転止部材の幅方向において弾性部材と当接する位置決部が形成されていることを特徴とする。
【００２３】
請求項１乃至請求項８の何れか１項に記載されたダクト用プラグと、ダクト用プラグに取り付けられる灯具とを備えることを特徴とする。
【発明の効果】
【００２４】
請求項１の発明の構成によれば、回転止部材における操作面の反対側の面と切欠溝の奥壁との少なくとも一方には、ダクト側面から離れるに従って操作面から離れるように傾斜し操作面が押操作されるとロック位置にあった回転止部材をレール孔から外れたロック解除位置に移動させるロック解除用スライド面が形成されるから、プラグ本体を回転が許可された状態にするためには、操作面に垂直な方向の力（押操作する方向の力）のみを加えればよく、回転止部材を回転させる従来構成よりも回転止部材の高さ寸法を小さくすることができ、その結果、プラグ本体の高さ寸法を小さくしてダクト用プラグを目立たなくすることができるという利点がある。また、操作面とプラグ本体の周面とに指を当ててダクト用プラグを掴むことで操作面を押操作することができ、ダクト用プラグを回転させるためにダクト用プラグを掴む動作と、回転止部材を操作する動作とを一体で行うことができ、ダクト用プラグを配線ダクトから取り外す作業が容易になるという利点がある。さらに、弾性部材は、回転止部材とプラグ本体とに挟持されるから、弾性部材を保持する部材が不要であり、また、回転止部材を回転させないから、回転止部材を回転させる部材が不要であり、簡単な構成でダクト用プラグの回転を禁止することができるという利点がある。
【００２５】
請求項２の発明の構成によれば、回転止部材が前記ロック位置に到達したときにロック側制限突起と当接するロック側ストップ面が段差面として形成されているから、弾性部材から受ける力により回転止部材が切欠溝から脱落することを防止することができるという利点がある。
【００２６】
請求項３の発明の構成によれば、板バネまたは線ばねを、前記操作面が押操作される方向において両端が近づくように曲げて配設することにより、板ばねまたは線ばねを弾性部材として用いることができるという利点がある。
【００２７】
請求項４の発明の構成によれば、回転止部材が前記ロック位置側から前記ロック解除位置側に移動してロック解除位置に到達したときにロック解除側制限突起の先端が当接するロック解除側ストップ面が形成されているから、操作面が押される力により回転止部材が切欠溝から脱落することを防止できるという利点がある。
【００２８】
請求項５の発明の構成によれば、前記プラグ本体は弾性を有する材料で形成されているから、プラグ本体は、切欠溝が幅方向において広がるように変形することができ、また、前記回転止部材は、弾性を有する材料で形成されるとともに、幅方向に沿う面の少なくとも一面が開口されているから、幅寸法が小さくなるように変形することができ、その結果、回転止部材を操作面の前方となる側より切欠溝内に圧入することができるという利点がある。
【００２９】
請求項６の発明の構成によれば、前記プラグ本体における前記ダクト側面の反対側の面と前記回転止部材の一面とは、回転止部材が前記ロック位置にあるときに面一になるから、回転止部材が目立たなくなり、デザイン性を高めることができるという利点がある。
【００３０】
請求項７の発明の構成によれば、前記ロック解除側制限突起は、前記回転止部材が前記プラグ本体の前記ダクト側面から突出しない位置において前記ロック解除側ストップ面に当接するから、プラグ本体を回転させる際に回転止部材が配線ダクトに引っ掛かることを防止することができるという利点がある。
【００３１】
請求項８の発明の構成によれば、前記弾性部材を挟持する前記回転止部材と前記プラグ本体とには、回転止部材の幅方向において弾性部材と当接する位置決部が形成されているから、幅方向における弾性部材の位置ずれを防止することができるという利点がある。
【００３２】
請求項９の発明の構成によれば、全高を小さくしたプラグ本体を備えたダクト用プラグを用いることにより、全高の小さな、また、ダクト用プラグが目立たないデザイン性のよいスポットライトを実現することができるという利点がある。
【図面の簡単な説明】
【００３３】
【図１】本実施形態のダクト用プラグを示し、（ａ）は回転止部材がロック位置にある状態の断面図で、（ｂ）は回転止部材がロック解除位置にある状態の断面図である。
【図２】同上における灯具を取り付けた状態の斜視図である。
【図３】同上における灯具を取り付けた状態の一部破断した斜視図である。
【図４】同上のダクト用プラグの斜視図である。
【図５】同上のダクト用プラグを示し、（ａ）は平面図、（ｂ）は正面図、（ｃ）は側面図である。
【図６】同上のプラグ本体を示す斜視図である。
【図７】同上の回転止部材を示し、（ａ）は外側から見た斜視図、（ｂ）は内側から見た斜視図である。
【図８】同上の動作説明図である。
【図９】配線ダクトを示す斜視図である。
【図１０】従来例を示す断面図である。
【発明を実施するための形態】
【００３４】
本実施形態で例示するダクト用プラグ３０には、図３に示すように、アーム２０により灯具１０が取り付けられ、スポットライトを構成している。すなわち、本実施形態では、スポットライトに用いられるダクト用プラグ３０を例示する。ただし、ダクト用プラグ３０の用途は、スポットライトに限定されるものではない。
【００３５】
灯具１０は、図４に示すように、円筒状の前面枠１２が一端部に配設されたセード１３と、セード１３を挟んで前面枠１２の反対側に配設されたケース１４とを備え、灯具１０内には、光源１１が収容される。前面枠１２は、バヨネット構造のような嵌め込み回転式でセード１３に装着される。ケース１４内には、いわゆるスクリューベース（Ｅ形）であるソケット１６と、点灯装置（図示せず）とが収容される。
【００３６】
光源１１は、片口金の直管状に形成される。本実施形態では、光源１１は、発光管がセラミックスであるセラミックメタルハライドランプを用いている。この光源１１は、点光源とみなせるショートアーク型であって、発光部位が前面枠１２内となるように、セード１３を貫通した形で配設され、端部においてソケット１６に装着される。
【００３７】
前面枠１２内には、光源１１の発光部位を囲む放物面状の反射面を有した反射鏡１５が、開口側を前面枠１２の前面に向けて収容される。反射鏡１５は、焦点位置を光源１１の発光部位に合わせた形で固定ばね（図示せず）を用いて前面枠１２に固定される。
【００３８】
アーム２０は、図３に示すように、灯具１０を挟持する一対の保持片２１と、一対の保持片２１同士を結合するアーム回転軸２２とを備える。灯具１０は、たとえば、一対の保持片２１にそれぞれ取り付けられた軸ねじによりアーム２０に回動自在に支持される。
【００３９】
ダクト用プラグ３０は、図４および図５（ａ）〜（ｃ）に示すように、弾性を有する合成樹脂材料からなるプラグ本体３１を備える。なお、本実施形態では、ダクト用プラグ３０が取り付けられる配線ダクト４０は、天井に取り付けられたものとして説明する。ただし、配線ダクト４０は壁などに取り付けた場合であっても本実施形態のダクト用プラグ３０を用いることができる。
【００４０】
プラグ本体３１は、略正方形状に形成された上面および下面と上面および下面に交差する周面とを備える扁平な形状に形成される。プラグ本体３１の下面には、アーム２０のアーム回転軸２２を軸支する軸受３５が配設される。
【００４１】
プラグ本体３１の上面には、ダクト用プラグ３０を配線ダクト４０に取り付けるための取付板３２が配設される。取付板３２は、厚み方向がプラグ本体３１の厚み方向と一致するようにプラグ本体３１から離間して配設され、結合部材３４によりプラグ本体３１と結合される。
【００４２】
取付板３２は、プラグ本体３１の正方形の一辺に沿う方向の長さ寸法が配線ダクト４０のレール孔４１の幅寸法以下に形成され、プラグ本体３１の正方形の他の一辺に沿う方向の長さ寸法がレール孔４１の長さ寸法よりも長く形成され、短手方向と長手方向とを有する。取付板３２とプラグ本体３１との離間寸法は配線ダクト４０の下壁の厚み寸法と略同一寸法に設定される。
【００４３】
取付板３２は、レール孔４１から配線ダクト４０（図３参照）内に挿入される。取付板３２を配線ダクト４０内に挿入した後、プラグ本体３１は、取付板３２の長手方向が配線ダクト４０の幅方向に一致するように、上面に直交する回転軸の周りに９０度回転されると、取付板３２の長手方向の両端部とプラグ本体３１の上面とが配線ダクト４０の下壁を挟み込み、ダクト用プラグ３０は配線ダクト４０に支持された状態となる。すなわち、プラグ本体３１の上面は、配線ダクト４０側となるダクト側面となっている。
【００４４】
結合部材３４は、直径がレール孔４１の幅寸法と略同一寸法の円柱状に形成され、取付板３２が配線ダクト４０内にあるときにレール孔４１内となるように形成される。
【００４５】
取付板３２が配線ダクト４０の下壁と摺接することで、ダクト用プラグ３０は、長さ方向において配線ダクト４０に移動自在に支持される。取付板３２を挟んで結合部材３４の反対側には、取付板３２とともにレール孔４１から配線ダクト４０内に挿入されるダクト用軸３６が配設される。取付板３２またはダクト用軸３６には、配線ダクト４０が備える給電線４２（図９参照）に接触する給電子（図示せず）が形成される。
【００４６】
また、図２に示すように、配線ダクト４０の下壁の幅方向の両端部には、長手方向に沿ってダクト側突起４３が突設され、プラグ本体３１は、幅寸法がダクト側突起４３の離間寸法より小さく形成されて上端部がダクト側突起４３に挟まれる形で配線ダクト４０に支持される。プラグ本体３１における取付板３２の長手方向において互いに対向する一対の周面の一方の下端部には、図４に示すように、上面がダクト側突起４３の下端に当接するプラグ側突起３８が突設される。
【００４７】
ところで、プラグ本体３１には、ダクト用プラグ３０の回転を禁止するための回転止部材５０が取り付けられる。回転止部材５０は、弾性を有する合成樹脂材料からなる。
【００４８】
以下では、図６および図７（ａ），（ｂ）を参照してプラグ本体３１と回転止部材５０とについて説明する。なお、ダクト用プラグ３０は配線ダクト４０に支持された状態（取付板３２の短手方向と配線ダクト４０の長さ方向とが一致した状態）として説明する。
【００４９】
プラグ本体３１の端部には、回転止部材５０が配設される切欠溝６０が形成される。切欠溝６０は、取付板３２の短手方向の端部に形成される。すなわち、ダクト用プラグ３０が配線ダクト４０に支持された状態において、回転止部材５０は、レール孔４１の下になる。
【００５０】
回転止部材５０は一対の側壁５１を備える。側壁５１は、側面視において、上下方向において互いに平行な上辺および下辺と上下両辺に直交する一辺と上下両辺と交差する一辺とを有する略台形状に形成される。一対の側壁５１の下端部間には、底壁５２が配設され、一対の側壁５１の前端部（上下両辺に直交する一辺側の端部）間には、操作壁５３が配設され、一対の側壁５１は、底壁５２および操作壁５３により結合される。すなわち、回転止部材５０は、幅方向（一対の側壁５１の離間方向）に沿う上面と後面とが開口した形状に形成される。
【００５１】
回転止部材５０の幅寸法（一対の側壁５１の離間方向における長さ寸法）は、レール孔４１の幅寸法以下に形成される。回転止部材５０は、上端部がプラグ本体３１の上面（ダクト側面）からレール孔４１に嵌ることができるだけの突出寸法で突出した形で切欠溝６０に配置される。すなわち、ダクト用プラグ３０が配線ダクト４０に支持された状態においては、回転止部材５０の上端部はレール孔４１内に嵌まり、ダクト用プラグ３０の回転が禁止される。以下では、回転止部材５０の上端部がプラグ本体３１の上面（ダクト側面）からレール孔４１に嵌ることができるだけの突出寸法で突出する回転止部材５０の位置をロック位置と呼ぶ。
【００５２】
また、回転止部材５０は、操作壁５３が切欠溝６０の開口（プラグ本体３１の周面側の開口）に位置するように切欠溝６０に配置され、操作壁５３の前面は押操作がされる操作面となる。操作壁５３の前面の下端部には、押操作をし易くするため、操作突起５７が突設される。
【００５３】
一方、プラグ本体３１の切欠溝６０は、幅方向において回転止部材５０と重なる一対の切欠壁面６１と、切欠壁面６１に交差するロック解除側ストップ面６２およびロック解除用スライド面６３とを周壁に備える。ロック解除用スライド面６３は、回転止部材５０がロック位置にある状態において、プラグ本体３１の上面（ダクト側面）から離れるに従って操作面から離れるように傾斜する。ロック解除側ストップ面６２は、操作面に略平行にロック解除用スライド面６３の上方に形成される。
【００５４】
また、一対の切欠壁面６１には、ロック解除用スライド面６３に平行なロック用スライド面６４が、段差面として形成される。
【００５５】
ここに、回転止部材５０の後面（側壁５１の後面）は、ロック解除用スライド面６３に摺接するようにロック解除用スライド面６３と略平行に形成され、また、一対の側壁５１には、ロック用スライド面６４に摺接する摺接面５９が段差面として形成される。すなわち、回転止部材５０は、切欠壁面６１の壁面とロック解除用スライド面６３とロック用スライド面６４とによって、切欠壁面６１とロック解除用スライド面６３との交線方向において移動自在に支持される。
【００５６】
上述したようにロック解除用スライド面６３はプラグ本体３１の上面（ダクト側面）から離れるに従って操作面から離れるように傾斜するから、ロック位置にあった回転止部材５０が押操作されると（操作面に垂直な力が加えられると）、回転止部材５０はプラグ本体３１の上面（ダクト側面）から離れるように下方にスライドし、回転止部材５０におけるプラグ本体３１の上面からの突出寸法が減少する。突出寸法が減少して、回転止部材５０の上端部がレール孔４１から外れると、ダクト用プラグ３０は回転が許可された状態になる。以下では、上端部がレール孔４１内にない回転止部材５０の位置をロック解除位置と呼ぶ。
【００５７】
切欠壁面６１とロック解除用スライド面６３との交線方向に回転止部材５０が移動することによって回転止部材５０が切欠溝６０から脱落しないように、プラグ本体３１の切欠壁面６１には、ロック側ストップ面６５が形成され、回転止部材５０には、側壁５１にロック側制限突起５５が突設されるとともに、操作壁５３にロック解除側制限突起５６が突設される。
【００５８】
ロック側制限突起５５は、一対の側壁５１の下端部に互いに離れる向きに突設され、ロック側ストップ面６５は、ロック解除位置にいた回転止部材５０が移動してロック位置に到達したときにロック側制限突起５５の上面に当接するように一対の切欠壁面６１の下端部にそれぞれ形成される。ロック側制限突起５６は、ロック位置にあった回転止部材５０が移動してロック解除位置に到達したときに、先端がロック解除側ストップ面６２に当接するように形成される。
【００５９】
ここに、ダクト用プラグ３０を回転させる際に、回転止部材５０の上端がレール孔４１の下面（レール孔４１が形成された壁面）に引っ掛かってダクト用プラグ３０の回転が阻害されないように、ロック側制限突起５６は、回転止部材５０の上端がプラグ本体３１の上面（ダクト側面）から突出しない位置（すなわち、上端がダクト側面と面一またはダクト側面よりも下方にある位置）でロック解除側ストップ面６２に当接するように形成される。
【００６０】
また、回転止部材５０がロック位置にあるときにおいて、回転止部材５０の下面（底壁５２の下面）は、プラグ本体３１の下面と面一に形成され、ダクト用プラグ３０の下面において、回転止部材５０が目立たなくなり、デザイン性が高められている。
【００６１】
図１，２に示すように、プラグ本体３１と回転止部材５０との間には、回転止部材５０をロック位置側に付勢するための弾性部材３７が配設される。弾性部材３７は、ロック解除用スライド面６３と操作壁５３との間に配設される。弾性部材３７には、矩形状に形成された板ばねが用いられ、両端には、互いに離れる向きに突出片３７ａがそれぞれ突設される。突出片３７ａは、片側の両端部にそれぞれ２個ずつ形成される。すなわち、突出片３７ａは、合計４個形成される。
【００６２】
図６および図７（ａ），（ｂ）に示すように、プラグ本体３１のロック解除用スライド面６３には、突出片３７ａが挿入される２個の本体側凹所６６が幅方向（一対の切欠壁面６１の離間方向）に並設され、回転止部材５０の操作壁５３には、弾性部材３７の突出片３７ａが嵌る部材側凹所５８が幅方向に並設される。弾性部材３７における本体側凹所６６に挿入される２個の突出片３７ａは、両端（突出片３７ａの突出方向に直交する方向における両端）から離してそれぞれ形成され、部材側凹所５８に挿入される２個の突出片３７ａは、両端部にそれぞれ形成される。
【００６３】
弾性部材３７は、両端部の突出片３７ａが本体側凹所６６および部材側凹所５８にそれぞれ挿入され、下方に撓んだ形でロック解除用スライド面６３と操作壁５３とに挟持される。すなわち、本体側凹所６６および部材側凹所５８は、幅方向における弾性部材３７の位置ずれを防止する位置決部となっている。弾性部材３７は、操作面が押される向きとは反対側に回転止部材５０を付勢する。
【００６４】
また、板ばねの代わりに略Ｖ字状に形成した線ばねを弾性部材３７として用いることもできる。すなわち、開き角度が小さくするように線ばねを変形させ、一端部をロック解除用スライド面６３に当接させ、他端部を操作壁５３に当接させた形で線ばねを配設する。
【００６５】
上述したように、ロック用スライド面６４は、プラグ本体３１の上面（ダクト側面）から離れるに従って操作面から離れるように傾斜するから、弾性部材３７とロック用スライド面６４とにより、回転止部材５０はロック位置側に付勢される。
【００６６】
図１，２に示すように、回転止部材５０の操作面が押操作されて回転止部材５０が移動して変位すると、弾性部材３７は、撓みが大きくなるように変形して回転止部材５０の付勢を維持する。
【００６７】
次に、ダクト用プラグ３０の組立について説明する。上述したように、回転止部材５０は弾性を有する合成樹脂材料からなるとともに、上面および後面が開口した形状に形成されるから、回転止部材５０は、幅寸法が小さくなるように変形することができる。また、プラグ本体３１も弾性を有する合成樹脂材料からなるから、切欠溝６０の幅寸法が大きくなるように変形することができる。
【００６８】
回転止部材５０を前方より切欠溝６０内に途中まで押し込んで一対の切欠壁面６１に保持させた後、弾性部材３７を配設し、弾性部材３７を撓ませながら回転止部材５０をさらに押し込んで回転止部材５０の後面（側壁５１の後面）をロック解除用スライド面６３に当接させて回転止部材５０をプラグ本体３１に取り付ける。すなわち、回転止部材５０は切欠溝６０に圧入される。
【００６９】
次に、図８（ａ），（ｂ）を参照してダクト用プラグ３０を配線ダクト４０から取り外す動作について説明する。回転止部材５０の操作面とプラグ本体３１の周面とに指を当て、ダクト用プラグ３０を掴むとともに操作面を押すと、回転止部材５０がロック位置からロック解除位置に移動し、ダクト用プラグ３０は回転が禁止された状態から回転が許可された状態に移行する。その後、ダクト用プラグ３０を掴んだまま回転させ、配線ダクト４０から取り外す。操作面から指を離すと、上述したように回転止部材５０はロック位置に復帰する。
【００７０】
なお、ダクト用プラグ３０を配線ダクト４０に取り付ける際は、上述と同様にしてダクト用プラグ３０を掴んだ状態（すなわち、ダクト用プラグ３０の回転が許可された状態）で取付板３２をレール孔４１から配線ダクト４０内に挿入してダクト用プラグ３０を回転させた後、操作面から指を離して回転止部材５０の上端をレール孔４１に嵌め、ダクト用プラグ３０を回転が禁止された状態にする。
【００７１】
上述のように、ダクト用プラグ３０を掴むだけで回転止部材５０がレール孔４１から外れるから、ダクト用プラグ３０を回転させるためにダクト用プラグ３０を掴む動作と、回転止部材５０をレール孔４１から外す動作とを一体で行うことができ、ダクト用プラグ３０（すなわち、スポットライト）を配線ダクト４０から取り外す作業が容易になる。
【００７２】
また、回転止部材５０をスライドさせてレール孔４１から外すから、操作面に下向きの力を加える必要がなく、また、操作面を回転軸３９（図１０参照）から離す必要がなく、回転止部材５０を回転させる従来構成よりも回転止部材５０の高さ寸法を小さくすることができ、その結果、プラグ本体３１の全高（厚み寸法）が小さくなって、配線ダクト４０からはみ出る部位（プラグ側突起３８の厚み寸法）が小さくなり、ダクト用プラグ３０が目立たなくなる。本実施形態のダクト用プラグ３０をスポットライトに用いると、スポットライトの全高を小さくでき、また、ダクト用プラグ３０が目立たないことによりデザイン性が良くなり、さらに、配線ダクト４０からの取り外しが容易になる。
【００７３】
さらに、弾性部材３７（図１参照）は、回転止部材５０の操作壁５３とプラグ本体３１のロック解除用スライド面６３とに挟持されるから、弾性部材３７を保持する部材が不要であり、また、回転止部材５０は切欠溝６０の周壁に支持されるから、回転止部材５０を回転させる部材が不要であり、その結果、回転止部材５０および弾性部材３７のみを用いた簡単な構成で、ダクト用プラグ３０の回転を禁止した状態と回転を許可した状態とを切り替えることができる。
【００７４】
さらにまた、プラグ本体３１を略正方形状に形成することでダクト用プラグ３０の方向性をなくしてダクト用プラグ３０のデザイン性を高めるとともに、ダクト用プラグ３０を掴み際にプラグ本体３１の周面に当てた指が滑らないようにしている。
【符号の説明】
【００７５】
１０  灯具
３０  ダクト用プラグ
３１  プラグ本体
３２  取付板
３７  弾性部材
４０  配線ダクト
４１  レール孔
５０  回転止部材
５１  側壁
５３  操作壁（操作面）
５５  ロック側制限突起
５６  ロック解除側制限突起
５８  部材側凹所
６０  切欠溝
６１  切欠壁面
６２  ロック解除側ストップ面
６３  ロック解除用スライド面
６４  ロック用スライド面
６５  ロック側ストップ面
６６  本体側凹所
【図１】
2010176916.tif 000003
【図２】
2010176916.tif 000004
【図３】
2010176916.tif 000005
【図４】
2010176916.tif 000006
【図５】
2010176916.tif 000007
【図６】
2010176916.tif 000008
【図７】
2010176916.tif 000009
【図８】
2010176916.tif 000010
【図９】
2010176916.tif 000011
【図１０】
2010176916.tif 000012